(57)【特許請求の範囲】
【請求項１】
頂部には吸込口が形成され、且つ下部の前側には吹出口が形成される機体であって、前記機体の前側には前側パネルが設けられ、前記前側パネルの頂部にはバッフルプレートが設けられ、前記バッフルプレートが前記吸込口の前方に位置し、前記バッフルプレートの一端が前記前側パネルの頂部に接続され、且つ他端が前記前側パネルに対して前記吸込口から離れる方向に延在しており、前記バッフルプレートが前記前側パネルと一体に形成されると共に、前記バッフルプレートが、前記前側パネルの最前部よりも後側に位置するように設けられた機体と、
前記吹出口を開閉するように前記吹出口に設けられる導風板であって、前記前側パネルに対して前記吹出口を上方へ開く場合、前記吹出口から吹き出される風が前記導風板の作用によって上方に吹き出す導風板と、
前記機体内に設けられる熱交換器と、
前記機体内に設けられ、且つ前記熱交換器の、前記吸込口から離れた一側に位置するインペラと、を備え、
前記前側パネルの頂部の上方への延在方向と前記バッフルプレートの前記他端の上方への延在方向との間の角度をβとすると、前記βは３０°≦β≦１００°を満たし、且つ、前記バッフルプレートは、下方から上方に、後方へ傾斜して延在する、
ことを特徴とする壁掛け型の空気調和機の室内機。
【請求項２】
前記前側パネルは、前方に突出した弧状構造として形成される、
ことを特徴とする請求項１に記載の壁掛け型の空気調和機の室内機。
【請求項３】
前記バッフルプレートの厚さは、前記バッフルプレートの前記一端から前記バッフルプレートの前記他端への方向に徐々に小さくなる、
ことを特徴とする請求項１または請求項２に記載の壁掛け型の空気調和機の室内機。
【請求項４】
前記バッフルプレートは、平板構造であり、又は
前記バッフルプレートは、前方に湾曲した弧状構造として形成される、
ことを特徴とする請求項１から請求項３のうち、いずれか一項に記載の壁掛け型の空気調和機の室内機。
【請求項５】
前記バッフルプレートの頂面は、前記機体の頂面よりも低い、
ことを特徴とする請求項１から請求項４のうち、いずれか一項に記載の壁掛け型の空気調和機の室内機。
【請求項６】
前記バッフルプレートの長さは、左右方向に前記吸込口の長さ以上である、
ことを特徴とする請求項１から請求項５のうち、いずれか一項に記載の壁掛け型の空気調和機の室内機。
【請求項７】
前記前側パネルの頂部の左端と右端には、それぞれ、後方へ延在する延伸板が設けられ、各前記延伸板の後面には、前記機体に枢動可能に接続された前側パネル枢動構造が設けられ、前記バッフルプレートは、２つの前記延伸板の間に位置し、それぞれ２つの前記延伸板と滑らかにつながる、
ことを特徴とする請求項１から請求項６のうち、いずれか一項に記載の壁掛け型の空気調和機の室内機。
【請求項８】
空気調和機であって、
請求項１から請求項７のうち、いずれか一項に記載の壁掛け型の空気調和機の室内機を備える、
ことを特徴とする空気調和機。
【発明の詳細な説明】
【関連出願の相互参照】
【０００１】
本出願は、出願番号が２０１８２０１８１５９１．０、出願日が２０１８年１月３１日の中国特許出願に基づいて提供され、上記中国特許出願の優先権を主張し、それらの全内容が引用により本出願に組み込まれる。
【技術分野】
【０００２】
本出願は空気調和機の製造技術分野に関し、特に壁掛け型の空気調和機の室内機及び壁掛け型の空気調和機の室内機を備える空気調和機に関する。
【背景技術】
【０００３】
関連技術では、壁掛け型の空気調和機の室内機は、その冷房能力を保証するという前提で、無風感の吹出効果を達成し、ユーザーの使用時の快適性を向上させている。
【発明の概要】
【発明が解決しようとする課題】
【０００４】
しかしながら、壁掛け型の空気調和機の室内機の成型効率及び外観にはまだ改善の余地がある。
【０００５】
本出願の目的は、少なくとも従来技術に存在する技術的課題の１つを解決することである。そのため、本出願は、壁掛け型の空気調和機の室内機を提供し、前記壁掛け型の空気調和機の室内機は、その吹込量及び熱交換効率を保証する前提で、成型効率を向上させ、美観性を高める。本出願は、さらに、上記壁掛け型の空気調和機の室内機を備える空気調和機を提供する。
【課題を解決するための手段】
【０００６】
本出願の第１態様の実施例に係る壁掛け型の空気調和機の室内機は、頂部には吸込口が形成され、且つ下部の前側には吹出口が形成される機体であって、前記機体の前側には前側パネルが設けられ、前記前側パネルの頂部にはバッフルプレートが設けられ、前記バッフルプレートが前記吸込口の前方に位置し、前記バッフルプレートの一端が前記前側パネルの頂部に接続され、且つ他端が前記前側パネルに対して前記吸込口から離れる方向に延在しており、前記バッフルプレートが前記前側パネルと一体に形成される機体と、前記吹出口を開閉するように前記吹出口に設けられる導風板であって、前記前側パネルに対して前記吹出口を上方へ開くと、前記吹出口から吹き出される風が前記導風板の作用によって上方に吹き出す導風板と、前記機体内に設けられる熱交換器と、前記機体内に設けられ、且つ前記熱交換器の、前記吸込口から離れた一側に位置するインペラと、を備える。
【０００７】
本出願の実施例に係る壁掛け型の空気調和機の室内機において、前側パネルの頂部及び吸込口の前方にバッフルプレートを設置し、且つバッフルプレートの上記他端を前側パネルに対して吸込口から離れる方向に延在させることで、バッフルプレートは、機体の内部構造を遮蔽することができ、壁掛け型の空気調和機の室内機の全体的な美観性を高め、同時に、バッフルプレートは、吹出口から上方へ吹き出される空気流を遮断することができ、空気流の逆流及び短いサイクルの形成を回避し、壁掛け型の空気調和機の室内機の熱交換効率を保証し、且つバッフルプレートは、吸込口での空気流を案内して、壁掛け型の空気調和機の室内機の吹込量を保証することができ、バッフルプレートと前側パネルを一体に設置することで、壁掛け型の空気調和機の室内機の成型効率及び組立効率を向上させる。
【０００８】
本出願のいくつかの実施例によれば、前記前側パネルの頂部の上方への延在方向と前記バッフルプレートの前記他端の上方への延在方向との間の角度をβとすると、前記βは３０°≦β≦１００°を満たす。
【０００９】
本出願のいくつかの実施例によれば、前記前側パネルは、前方に突出した弧状構造として形成される。
【００１０】
本出願のいくつかの実施例によれば、前記バッフルプレートは、下方から上方に後方へ傾斜して延在する。
【００１１】
本出願のいくつかの実施例によれば、前記バッフルプレートの厚さは、前記バッフルプレートの前記一端から前記バッフルプレートの前記他端への方向に徐々に小さくなる。
【００１２】
本出願のいくつかの実施例によれば、前記バッフルプレートは、平板構造であり、又は前記バッフルプレートは、前方に湾曲した弧状構造として形成される。
【００１３】
本出願のいくつかの実施例によれば、前記バッフルプレートの頂面は、前記機体の頂面よりも低い。
【００１４】
本出願のいくつかの実施例によれば、前記バッフルプレートの長さは、左右方向に前記吸込口の長さ以上である。
【００１５】
本出願のいくつかの実施例によれば、前記前側パネルの頂部の左端と右端には、それぞれ、後方へ延在する延伸板が設けられ、各前記延伸板の後面には、前記機体に枢動可能に接続された前側パネル枢動構造が設けられ、ここで前記バッフルプレートは、２つの前記延伸板の間に位置して、それぞれ２つの前記延伸板と滑らかにつながる。
【００１６】
本出願の第２態様の実施例に係る空気調和機は、本出願の上記第１態様の実施例に係る壁掛け型の空気調和機の室内機を備える。
【００１７】
本出願の実施例に係る空気調和機は、上記壁掛け型の空気調和機の室内機を用いることで、空気調和機の熱交換効率を保証し、空気調和機の美観性を高め、同時に空気調和機の成型効率及び組立効率を向上させる。
【図面の簡単な説明】
【００１８】
【図１】本出願の実施例に係る壁掛け型の空気調和機の室内機の断面図であり、ここで導風板は、吹出口を閉じる。
【図２】図１におけるＡで示される部分の拡大図である。
【図３】図１に示される壁掛け型の空気調和機の室内機の別の断面図であり、ここで導風板は、前側パネルに対して吹出口を上方へ開き、矢印方向は空気流の流れ方向である。
【図４】図１に示されるバッフルプレート及び前側パネルの構造模式図である。
【図５】図４に示されるバッフルプレート及び前側パネルを別の角度から見た構造模式図である。
【図６】図４に示されるバッフルプレート及び前側パネルを更なる角度から見た構造模式図である。
【図７】図６におけるＢで示される部分の部分拡大図である。
【図８】本出願の別の実施例に係る壁掛け型の空気調和機の室内機の部分断面図であり、ここで矢印方向は空気流の流れ方向である。
【発明を実施するための形態】
【００１９】
以下、本出願の実施例を詳細に説明し、前記実施例の例は、図面に示され、図面を通じて同じ又は類似した符号は、同じ又は類似した素子又は同じ又は類似した機能を有する素子を示す。以下、図面を参照しながら説明する実施例は、例示的なものであり、本出願を解釈するためのものにすぎず、本出願を制限するものとして理解すべきではない。
【００２０】
本出願の上記及び／又は追加の態様及び利点は、以下の図面を参照しながら実施例を説明することによって明らかで容易に理解できるようになる。また、本出願の追加の態様及び利点は、以下の説明において部分的に説明され、その一部は、以下の説明から明らかなになるか、又は本出願を実施することによって把握できる。
【００２１】
なお、本出願の説明において、「中央」、「横方向」、「長さ」、「幅」、「厚さ」、「上」、「下」、「前」、「後」、「左」、「右」、「垂直」、「水平」、「頂」「内」、「外」などのような用語により示される方位又は位置関係は、図面に示される方位又は位置関係に基づくものであり、本出願の説明及び説明の簡素化のために過ぎず、示される装置又は要素が特定方位を有したり、特定方位で構成又は操作されたりすることを指示又は示唆するものではなく、よって、本出願に対する限定としては理解されない。また、「第１」、「第２」により限定される特徴は、１つ又は複数のこの特徴を明示的に、あるいは黙示的に有してもよい。本出願の説明において、「複数」は、特に明記しない限り、２つ又は２つ以上を意味する。
【００２２】
ただし、本出願の説明において、明確に指定又は限定しない限り、「取付」、「連結」、「接続」などの用語は、広義で理解すべきであり、例えば、固定的に接続してもよく、取り外し可能に接続してもよく、又は一体に接続してもよく、機械的に接続してもよく、或いは、電気的に接続してもよく、直接接続してもよく、中間媒体を介して間接的に接続してもよく、２つの要素の内部が連通してもよい。当業者であれば、具体的な状況に応じて上記用語の本出願における具体的な意味を理解し得る。
【００２３】
以下、図１〜図８を参照して本出願の第１態様の実施例に係る壁掛け型の空気調和機の室内機１００を説明する。
【００２４】
図１〜図８に示すように、本出願の実施例に係る壁掛け型の空気調和機の室内機１００は、機体１、導風板２、熱交換器３及びインペラ４を備える。
【００２５】
機体１の頂部には吸込口１０ａが形成され、且つ機体１の下部の前側には吹出口１０ｂが形成され、機体１の前側には前側パネル１１が設けられ、前側パネル１１の頂部にはバッフルプレート１０が設けられ、バッフルプレート１０が吸込口１０ａの前方に位置し、バッフルプレート１０の一端（例えば、図１及び図３の下端）が前側パネル１１の上部に接続され、且つバッフルプレート１０の他端（例えば、図１及び図３の上端）が前側パネル１１に対して吸込口１０ａから離れる方向に延在しており、バッフルプレート１０が前側パネル１１と一体に形成される。なお、「機体１の前側」とは、壁掛け型の空気調和機の室内機１００が壁に取り付けられた時に壁から離れた一側を指す。
【００２６】
導風板２は、吹出口１０ｂを開閉するように吹出口１０ｂに設けられ、導風板２が前側パネル１１に対して吹出口１０ｂを上方へ開くと、吹出口１０ｂから吹き出される風は、導風板２の作用によって上方に吹き出すことに適する。熱交換器３は、機体１内に設けられ、インペラ４は、機体１内に設けられ、且つインペラ４は、熱交換器３の、吸込口１０ａから離れた一側に位置する。
【００２７】
例えば、図１〜図８に示すように、機体１内には、それぞれ、吸込口１０ａと吹出口１０ｂと連通する熱交換通路が画定され、熱交換器３及びインペラ４の両方が熱交換通路内に位置してもよい。壁掛け型の空気調和機の室内機１００が運転すると、インペラ４が回転することで吸込口１０ａに負圧を形成し、空気は、吸込口１０ａから熱交換通路に流入し、且つインペラ４の駆動により熱交換器３と熱交換し、熱交換された空気は、吹出口１０ｂから流出して室内温度を調整する。
【００２８】
バッフルプレート１０は、吸込口１０ａの前側縁部に位置してもよく、バッフルプレート１０は、左右方向に延在してもよいことで、バッフルプレート１０は、遮蔽作用をある程度まで果たすことができ、機体１の内部露出を回避し、壁掛け型の空気調和機の室内機１００の全体的な美観性を高め、同時に、バッフルプレート１０は、一定の装飾作用を果たすことができ、バッフルプレート１０の下端は、前側パネル１１の頂部に固定的に接続されてもよく、バッフルプレート１０の上端は、前側パネル１１に対して吸込口１０ａから離れる方向に延在していることで、バッフルプレート１０の上端の延在方向と前側パネル１１の頂部の延在方向との間の角度は０°よりも大きく、この時、バッフルプレート１０の上端は、バッフルプレート１０の下端に対して前方、後方又は垂直に延在してもよく、前側パネル１１の前面に沿って流れる空気流が吸込口１０ａに逆流しないようにバッフルプレート１０の上端が前側パネル１１に対して吸込口１０ａから離れる方向に延在していることを保証するだけでよい。なお、「左右方向」とは、壁掛け型の空気調和機の室内機１００が壁に取り付けられ、且つユーザーが壁掛け型の空気調和機の室内機１００に面した時のユーザーの左右方向（例えば、図５及び図６の左右方向）を指す。
【００２９】
ここで、バッフルプレート１０と前側パネル１１は一体に加工製造されてもよく、バッフルプレート１０が前側パネル１１の一部であることで、壁掛け型の空気調和機の室内機１００の部品を削減し、成型効率及び組立効率を向上させる。例えば、バッフルプレート１０と前側パネル１１が一体に加工成型されてもよく、好ましくは、バッフルプレート１０と前側パネル１１が一体に鋳造成型されてもよい。当然のことながら、本出願は、これに限定されるものではなく、前側パネル１１を加工成型した上で、バッフルプレート１０をさらに加工してもよく、この時、前側パネル１１とバッフルプレート１０が２回の加工工程後に形成されてもよい。バッフルプレート１０と前側パネル１１の具体的な加工順序に関わらず、壁掛け型の空気調和機の室内機１００全体の加工が終了した後、バッフルプレート１０と前側パネル１１が一体構造となるだけでよいことを理解されたい。
【００３０】
導風板２は、機体１に枢動可能に接続されてもよく、これにより導風板２は吹出口１０ｂを開閉するように回転する。導風板２が吹出口１０ｂを閉じると、導風板２と前側パネル１１との間の滑らかにつながることにより、壁掛け型の空気調和機の室内機１００の美観性を保証し、同時に、空気中のほこりなどが吹出口１０ｂから機体１に入って壁掛け型の空気調和機の室内機１００の熱交換効率に影響を与えることを回避する。導風板２が前側パネル１１に対して吹出口１０ｂを上向きに開くと、吹出口１０ｂでの風は、導風板２の作用によって上方へ流れ、この時、導風板２の出口端は、下方から上方へ傾斜して延在してもよく、壁掛け型の空気調和機の室内機１００は、直風防止モード、柔風感モード又は無風感モードであってもよいことで、ユーザーの使用時の快適性を保証し、流体のコアンダ効果により、空気流の少なくとも一部は、前側パネル１１の前面に沿って上方へ流れ、空気流が前側パネル１１の頂部まで流れると、バッフルプレート１０の上端が前側パネル１１に対して吸込口１０ａから離れる方向に延在しているため、バッフルプレート１０は、空気流が前側パネル１１の頂部で吸込口１０ａから離れる方向に流れるように、空気流を遮断することができ、空気流が前側パネル１１に沿ってバッフルプレート１０の後側に流れて吸込口１０ａに直接逆流するため、吸込口１０ａの温度が室内の気温と大きく異なることを回避し、壁掛け型の空気調和機の室内機１００の熱交換効率を保証する。
【００３１】
また、壁掛け型の空気調和機の室内機１００の運転過程において、バッフルプレート１０が吸込口１０ａの前方に位置し、且つバッフルプレート１０の上端が前側パネル１１に対して吸込口１０ａから離れる方向に延在しているため、バッフルプレート１０は、壁掛け型の空気調和機の室内機１００の上方の空気を吸込口１０ａにより良く案内することができ、よって、壁掛け型の空気調和機の室内機１００の吹込量を増加させる。
【００３２】
本出願の実施例に係る壁掛け型の空気調和機の室内機１００において、前側パネル１１の頂部及び吸込口１０ａの前方にバッフルプレート１０を設置し、且つバッフルプレート１０の上記他端を前側パネル１１に対して吸込口１０ａから離れる方向に延在させることで、バッフルプレート１０は、機体１の内部構造を遮蔽することができ、且つバッフルプレート１０は、一定の装飾作用を果たすことができることで、壁掛け型の空気調和機の室内機１００の全体的な美観性を高め、同時に、バッフルプレート１０は、吹出口１０ｂから上方へ吹き出される空気流を遮断することができ、空気流の逆流及び短いサイクルの形成を回避し、壁掛け型の空気調和機１００の室内機の熱交換効率を保証し、且つバッフルプレート１０は、吸込口１０ａでの空気流を案内して、壁掛け型の空気調和機の室内機１００の吹込量を保証することができ、バッフルプレート１０と前側パネル１１を一体に設置することで、壁掛け型の空気調和機の室内機１００の成型効率及び組立効率を向上させる。
【００３３】
本出願のいくつかの具体的な実施例では、図１〜図３に示すように、前側パネル１１の頂部の上方への延在方向とバッフルプレート１０の上記他端（例えば、図１及び図３の上端）の上方への延在方向との間の角度をβとすると、ここでβは３０°≦β≦１００を満たすことで、前側パネル１１とバッフルプレート１０との間の角度βが小さすぎて吹出口１０ｂから上方へ吹き出される空気流の少なくとも一部を遮断できないことを回避し、同時に、角度βが小さすぎて吸込口１０ａの面積を小さくし、吹込量に影響を与えることを回避し、さらに、角度βが大きすぎてバッフルプレート１０が空気流と衝突して振動を発生させることを回避し、よって、バッフルプレート１０は、吹出口１０ｂから上方へ吹き出される空気流をより良く案内して、吹込量をさらに保証することができる。
【００３４】
なお、「角度β」は、バッフルプレート１０の上記他端の上方への延在方向とその頂部での前側パネル１１の接線方向との間の角度として理解することもでき、且つ該接線方向は、実質的に吸込口１０ａの方向に向かっている。
【００３５】
好ましくは、図１〜図７に示すように、前側パネル１１は、前方に突出した弧状構造として形成され、この時、前側パネル１１は、実質的に弧状板として形成されてもよいことで、壁掛け型の空気調和機の室内機１００の美観性をさらに保証する。
【００３６】
当然のことながら、前側パネル１１は、平板構造として形成されてもよい。例えば、図８の例では、前側パネル１１は、上下方向に沿って垂直に延在してもよく、バッフルプレート１０の上端は、前側パネル１１に対して前方へ曲線状に延在してもよく、バッフルプレート１０の上端の延在方向と垂直方向との間の角度αは０°よりも大きくてもよく、角度αの具体的な数値は、実際のニーズに応じて具体的に設定されてもよい。
【００３７】
本出願のいくつかの実施例では、図１〜図３に示すように、バッフルプレート１０は、下方から上方かつ後方へ傾斜して延在しており、この時、前後方向に、バッフルプレート１０の上端は、バッフルプレート１０の下端の後側に位置し、バッフルプレート１０の上端は、少なくとも一部の前側パネル１１の後側に位置してもよく、すなわち、前後方向に、壁掛け型の空気調和機の室内機１００の最前部が前側パネル１１上に位置することで、バッフルプレート１０に対する保護作用をある程度まで果たすことができ、壁掛け型の空気調和機の室内機１００の移動、点検、取付などの過程においてバッフルプレート１０と衝突してバッフルプレート１０を損傷することを回避する。
【００３８】
当然のことながら、バッフルプレート１０は、下方から上方へ垂直に延在してもよく、又は、バッフルプレート１０は、下方から上方かつ前方へ傾斜して延在している。
【００３９】
具体的には、バッフルプレート１０の厚さは、バッフルプレート１０の一端（例えば、図１及び図３の下端）からバッフルプレート１０の他端（例えば、図１及び図３の上端）への方向に徐々に小さくなり、バッフルプレート１０の上記一端が前側パネル１１の頂部に接続されることで、バッフルプレート１０と前側パネル１１との間の接続の信頼性を保証し、同時にバッフルプレート１０の材料使用量を減少させ、コストを削減する。
【００４０】
本出願のいくつかの好ましい実施例では、図１〜図７に示すように、バッフルプレート１０は平板構造であり、構造が簡単で、実現しやすく、この時、前側パネル１１は、前方に突出した弧状構造として形成されてもよく、平板構造として形成されてもよいが、これに限定されるものではない。
【００４１】
本出願の別の好ましい実施例では、バッフルプレート１０は、前方に湾曲した弧状構造として形成される。例えば、図８の例では、バッフルプレート１０の上端が前側パネル１１に対して前方へ延在していることで、バッフルプレート１０は、吸込口１０ａでの空気流をより良く案内し、吹出口１０ｂから上方へ吹き出される空気流を案内することができる。この時、前側パネル１１は、平板構造として形成されてもよく、前方に突出した弧状構造として形成されてもよいが、これに限定されるものではない。
【００４２】
好ましくは、バッフルプレート１０の頂面が機体１の頂面よりも低いことで、壁掛け型の空気調和機の室内機１００の美観性を保証する前提で、バッフルプレート１０に対する保護作用をある程度まで果たすことができ、壁掛け型の空気調和機の室内機１００の移動、点検、取付などの過程においてバッフルプレート１０と衝突してバッフルプレート１０を損傷することを回避する。
【００４３】
バッフルプレート１０の頂面は機体１の頂面と面一になってもよく、同様に壁掛け型の空気調和機の室内機１００の美観性を保証し、同時にバッフルプレート１０を保護することができることを理解されたい。
【００４４】
本出願のいくつかの好ましい実施例では、バッフルプレート１０の長さは、左右方向に吸込口１０ａの長さ以上である。例えば、図１及び図４〜図６の例では、バッフルプレート１０の長さは、左右方向に吸込口１０ａの長さに等しいことで、バッフルプレート１０の遮蔽作用をさらに保証し、バッフルプレート１０は、機体１の内部構造をより良く遮蔽することができ、機体１の内部露出を回避し、壁掛け型の空気調和機の室内機１００の美観性を保証する。当然のことながら、バッフルプレート１０の長さは、左右方向に吸込口１０ａの長さよりも大きくてもよく、同様にバッフルプレート１０の遮蔽作用を保証し、壁掛け型の空気調和機の室内機１００の美観性を保証することができる。
【００４５】
好ましくは、バッフルプレート１０の色は、前側パネル１１の色と同じであるか又は異なっていることで、バッフルプレート１０の色及び前側パネル１１の色を設計要件に応じて設定することができ、壁掛け型の空気調和機の室内機１００の美観性をさらに高め、同時に様々なユーザーの使用ニーズを満たす。例えば、バッフルプレート１０の色が前側パネル１１の色と異なるように、バッフルプレート１０をスプレーなどのプロセスで処理することができ、よって、バッフルプレート１０の色が、前側パネル１１の色とより良くマッチすることが可能となり、バッフルプレート１０の装飾作用を向上させる。
【００４６】
本出願のいくつかの具体的な実施例では、前側パネル１１の頂部の左端と右端には、それぞれ、後方へ延在する延伸板１１１が設けられ、各延伸板１１１の後面には、機体１に枢動可能に接続された前側パネル枢動構造１１２が設けられ、ここでバッフルプレート１０は、２つの延伸板１１１の間に位置し、且つバッフルプレート１０は、それぞれ２つの延伸板１１１と滑らかにつながる。例えば、図４〜図７に示すように、２つの延伸板１１１は、左右対称に配置されてもよく、バッフルプレート１０の左右両端は、それぞれ、延伸板１１１に接続されてもよく、且つバッフルプレート１０の左右両端は、それぞれ延伸板１１１と滑らかにつながることで、壁掛け型の空気調和機の室内機１００の美観性を保証する。各前側パネル枢動構造１１２上に枢動軸を有してもよく、２つの枢動軸は、左右方向に沿って互いに近接する方向に向かって水平に延在してもよく、各枢動軸は、機体１に枢動可能に接続されるように機体１に穿設されて、前側パネル１１を枢動軸の中心軸線を中心として回転させることができることで、壁掛け型の空気調和機の室内機１００を点検する必要がある時、前側パネル１１を直接開いて機体１の内部構造を見ることができ、壁掛け型の空気調和機の室内機１００の点検に役立つ。
【００４７】
本出願の第２態様の実施例に係る空気調和機は、本出願の上記第１態様の実施例に係る壁掛け型の空気調和機の室内機１００を備える。
【００４８】
本願の実施例に係る空気調和機は、上記壁掛け型の空気調和機の室内機１００を用いることで、空気調和機の熱交換効率を保証し、空気調和機の美観性を高め、空気調和機の成型効率及び組立効率を向上させる。
【００４９】
本出願の実施例に係る空気調和機の他の構成及び操作は、当業者に知られているため、ここでは詳細に説明しない。
【００５０】
以下、図１〜図８を参照して２つの具体的な実施例により本出願の実施例による壁掛け型の空気調和機の室内機１００について詳細に説明する。以下の説明は例示的なものだけであり、本出願を具体的に制限するものではないことを理解されたい。
【００５１】
実施例１
本実施例では、図１〜図７に示すように、壁掛け型の空気調和機の室内機１００は、機体１、導風板２、熱交換器３及びインペラ４を備える。
【００５２】
機体１の頂部には吸込口１０ａが形成され、吸込口１０ａには吹込フレーム１２が設けられ、空気は、吸込口１０ａから機体１内に流入して機体１内の熱交換器３と熱交換することができ、機体１の下部の前側には吹出口１０ｂが形成され、吹出口１０ｂには吹出フレーム１３が設けられ、熱交換された空気は、吹出口１０ｂから流出して室内温度を調整することができ、機体１内には、支持作用を果たすフレーム１４が設けられ、機体１内には、それぞれ、吸込口１０ａと吹出口１０ｂと連通する熱交換通路が画定され、熱交換器３及びインペラ４の両方が熱交換通路内に位置してもよい。機体１の後側には後側パネルが設けられ、後側パネルは、壁掛け型の空気調和機の室内機１００の設置を容易にするために垂直平板として形成され、機体１の前側には前側パネル１１が設けられ、前側パネル１１は、前方に突出した弧状構造として形成され、前側パネル１１の頂部にはバッフルプレート１０が設けられ、バッフルプレート１０は、前側パネル１１と一体に形成され、バッフルプレート１０は、吸込口１０ａの前方に位置し、且つバッフルプレート１０は、吸込口１０ａの前側縁部を画定することができ、バッフルプレート１０の長さは、左右方向に吸込口１０ａの長さに等しいことで、バッフルプレート１０は、吸込口１０ａでの空気流をより良く案内して、吹込量を保証することができ、同時に、バッフルプレート１０は、機体１の内部構造をより良く遮蔽することができ、バッフルプレート１０は、実質的に平板構造として形成され、バッフルプレート１０の下端は、前側パネル１１の頂部に固定的に接続され、バッフルプレート１０の上端は、前側パネル１１に対して吸込口１０ａから離れる方向に延在していることで、バッフルプレート１０は、下方から上方かつ後方へ傾斜して設置され、且つバッフルプレート１０の厚さが徐々に小さくなり、この時、バッフルプレート１０の上端の上方への延在方向と前側パネル１１の頂部の上方への延在方向との間の角度βは、３０°≦β≦１００°を満たし、すなわち、バッフルプレート１０の上端の上方への延在方向と、その頂部での、吸込口１０ａに向かう方向の前側パネル１１の接線方向との間の角度はβであり、バッフルプレート１０の頂面は、機体１の頂面よりも低い。
【００５３】
図４〜図７に示すように、前側パネル１１の頂部の左端と右端には、それぞれ、後方へ延在する延伸板１１１が設けられ、各延伸板１１１は、弧状板として形成され、２つの延伸板１１１は、左右対称に配置されてもよく、左延伸板１１１の右側縁部は、吸込口１０ａの左側縁部を画定することができ、右延伸板１１１の左側縁部は、吸込口１０ａの右側縁部を画定することができ、バッフルプレート１０は、２つの延伸板１１１の間に位置することで、バッフルプレート１０の左右両端は、それぞれ延伸板１１１に接続され、バッフルプレート１０の左右両端は、それぞれ、対応する延伸板１１１の延在方向に滑らかに曲げられることで、バッフルプレート１０の左右両端は、それぞれ延伸板１１１と滑らかにつながり、各延伸板１１１の後面には、前側パネル枢動構造１１２が設けられ、各前側パネル枢動構造１１２は枢動軸を有し、２本の枢動軸は、左右方向に沿って互いに近接する方向に向かって水平に延在しており、各枢動軸は、機体１に枢動可能に接続されるように機体１に穿設されて、前側パネル１１を枢動軸の中心軸線を中心として回転させることができ、前側パネル１１の下部は、機体１にスナップで接続され、前側パネル１１の下部が機体１から分離されて前側パネル１１を回転させることに役立ち、同時に前側パネル１１の取付に役立つ。
【００５４】
導風板２は、吹出口１０ｂに設けられ、且つ導風板は、機体１に枢動可能に接続されてもよいことで、導風板２は、機体１に対して回転可能であり、熱交換器３の断面形状は、ほぼＶ字状であってもよく、インペラ４は機体１内に設けられ、且つインペラ４は熱交換器３の下側に位置することで、熱交換効率を保証する前提で、壁掛け型の空気調和機の室内機１００の占有空間を小さくする。
【００５５】
図１〜図３に示すように、導風板２は、第１導風板２１及び第２導風板２２を備え、第１導風板２１及び第２導風板２２の両方は、弧状板として形成されてもよく、第１導風板２１は、吹出口１０ｂを開閉すると同時に、吹出口１０ｂでの空気流を案内するように回転し、第２導風板２２は、第１導風板２１の内側に位置し、且つ第２導風板２２は、吹出口１０ｂでの空気流を案内するように回転する。第１導風板２１が吹出口１０ｂを閉じると、第１導風板２１は外方に突出し、且つ第１導風板２１は前側パネル１１と滑らかにつながり、壁掛け型の空気調和機の室内機１００が直風防止モード、柔風感モード又は無風感モードである時、第１導風板２１は下方へ回転可能であり、第１導風板２１は、前面パネル１１に対して吹出口１０ｂを上方へ開き、第２導風板２２が適切な角度で回転すると、吹出口１０ｂでの風、例えば、熱交換された冷風が第１導風板２１及び第２導風板２２の作用によって上方へ流れ、この時、第１導風板２１の第１出口端２１ａは、下方から上方へ延在してもよく、流体のコアンダ効果により、空気流の少なくとも一部は、前側パネル１１の頂部まで前側パネル１１の前面に沿って上方へ流れ、バッフルプレート１０は、該部分の空気流が前側パネル１１の頂部で吸込口１０ａから離れる方向に流れるように、該部分の空気流を遮断することができ、空気流が前側パネル１１に沿って吸込口１０ａに直接逆流して逆流を形成することを回避し、熱交換された冷風が吸込口１０ａでの温度を低下させることを回避することで、吸込口１０ａでの、室内温度を判定するための温度センサの誤検知を回避し、同時に壁掛け型の空気調和機の室内機１００の熱交換効率を保証する。
【００５６】
なお、方向の「内」とは、壁掛け型の空気調和機の室内機１００の中央の方向を指し、その逆の方向は「外」と定義される。ここで、ユーザーのニーズをよりよく満たすために、壁掛け型の空気調和機の室内機１００の異なるモード（直風防止モード、柔風感モード及び無風感モードを含む）での第１導風板２１及び第２導風板２２の回転角度などのパラメータを、実際の用途に応じて具体的に設定することができる。
【００５７】
実施例２
図８に示すように、本実施例と実施例１の構造はほぼ同じであり、ここで同一の部品には同一の符号を付しており、その相違点は、前側パネル１１が平板構造として形成され、バッフルプレート１０が弧状構造として形成されることである。具体的には、図８に示すように、前側パネル１１は上下方向に垂直に延在しており、バッフルプレート１０の上端は、前側パネル１１に対して前方へ延在していることで、バッフルプレート１０は後方に突出した弧状構造として形成される。
【００５８】
本明細書の説明において、用語「一実施例」、「いくつかの実施例」、「例示的な実施例」、「例」、「具体例」、又は「いくつかの例」等を参照した説明は、該実施例又は例と組み合わせて説明されている特定の特徴、構造、材料又は特性が、本出願の少なくとも１つの実施例又は例に含まれることを意味する。本明細書において、上記用語の例示的な表現は、必ずしも同じ実施例又は例を意味するわけではない。さらに、説明された特定の特徴、構造、材料又は特性が、任意の１つ又は複数の実施例又は例においては適切な方式で組み合わせられていてもよい。
【００５９】
本出願の実施例を例示して説明したが、当業者であれば、本出願の原理や精神から逸脱することなく、これらの実施例に対して様々な変更、修正、置換や変形を行うことができ、本出願の範囲が特許請求の範囲及びその等価物により限定されることを理解できる。
【符号の説明】
【００６０】
壁掛け型の空気調和機の室内機１００、機体１、吸込口１０ａ、吹出口１０ｂ、バッフルプレート１０、前側パネル１１、吹込フレーム１２、吹出フレーム１３、フレーム１４、延伸板１１１、前側パネル枢動構造１１２、導風板２、第１導風板２１、出口端２１ａ、第２導風板２２、熱交換器３、インペラ４。
【図１】
0006964144.tif 000002
【図２】
0006964144.tif 000003
【図３】
0006964144.tif 000004
【図４】
0006964144.tif 000005
【図５】
0006964144.tif 000006
【図６】
0006964144.tif 000007
【図７】
0006964144.tif 000008
【図８】
0006964144.tif 000009